(57)【特許請求の範囲】
【請求項１】
画面上に表示される所定の図形の摂食曲線（１０、２４）にしたがって食べるように、人に教えるために用いられる、リアルタイムな図形の摂食曲線（１２）を測定するように適合された少なくとも２つの装置（３０、３２）で構成される医療機器であって、前記医療機器は、
前記所定の図形の摂食曲線（１０、２４）をメモリに記憶し、画面を備え、関連する第２の装置（３２）と通信するための遠隔近接場放射通信および有線通信のうち少なくとも１つの通信機能を有する第１の装置（３０）と、
はかりを有し、前記第１の装置（３０）と通信するように適合され、前記第１の装置（３０）に適合された遠隔近接場放射通信および有線通信のうち少なくとも１つの通信機能を有する前記第２の装置（３２）と、
を備え、
相当の期間の測定セッションにおいて、前記はかり上の食物を計量し、人が食物を摂取することによって、前記はかりから前記食物が除去されるときに、前記通信機能を通じて前記食物の重量を前記第１の装置（３０）に伝送し、セッション中に除去される前記食物の量を前記メモリに記憶する、前記第１の装置（３０）に内蔵されるソフトウェア手段によって、食物が前記はかりから除去されるときに、除去される前記食物の重量を前記画面上に測定点として表示して、前記所定の図形の摂食曲線（１０、２４）と比較するための前記リアルタイムな図形の摂食曲線（１２）を作成し、
さらに、前記メモリにおいて、導入曲線とその後の訓練曲線を通じて、制御された食事の累積摂食量から得たデータに基づいて、前記所定の図形の摂食曲線（１０、２４）の方程式を自動的に計算する手段であって、前記累積摂食量が二次方程式ｙ＝ａｘ２＋ｂｘ＋ｃを満たし、ここで、パラメータｙは摂食量を表し、パラメータｘは食事開始時からの経過時間を表し、ａは摂食時間中の前記所定の図形の摂食曲線の傾きの変化を表し、ｂは摂食時間中の前記所定の図形の摂食曲線の一定の傾き、つまり前記食事開始時の摂食速度を表し、ｃは前記食事開始時の摂食量を表し、前記導入曲線は、制御された食事で得た前記累積摂食量と同様の特性を有する手段を備えることを特徴とする、医療機器。
【請求項２】
請求項１に記載の医療機器であって、各訓練曲線の前記方程式は、ａが＜−１であることを特徴とする減少摂食様式、または前記方程式のａが０≧ａ＞−１であることを特徴とする一次方程式に基づき、これにより、通常の前記食事開始時の摂食速度は４８グラム／分となり、通常の摂食量は３２０グラムから３６０グラムであり、通常の食事時間は１２分から１５分であり、したがって前記摂食速度の疑似コードは、
ｙ＝ａｘ２＋ｂｘ＋ｃ
摂食量＝ｙ＞７２０の場合は６００、それ以外の場合はｙ−７０
前記食事開始時の摂食速度＝ｂ−（１／４（ｂ−４８））
減少速度または線形速度＝（ｙ−ｂｘ）／ｘ２
から構成される、医療機器。
【請求項３】
請求項１に記載の医療機器であって、前記第２の装置（３２）および前記第１の装置（３０）が１つの装置に一体化される、医療機器。
【請求項４】
請求項１に記載の医療機器であって、前記はかりのはかり測定表面は食物を載せるためのボウルまたは皿として形成される、医療機器。
【請求項５】
請求項１に記載の医療機器であって、前記はかりはポケットに携帯できるほど小型である、医療機器。
【請求項６】
請求項１に記載の医療機器であって、前記所定の図形の摂食曲線（２４）は、科学的研究によって、人間に好ましい摂食行動に似ていることが分かっている非線形摂食行動を表す、医療機器。
【請求項７】
請求項１に記載の医療機器であって、前記所定の図形の摂食曲線（１０）は摂食行動の線形速度を表す、医療機器。
【請求項８】
請求項１に記載の医療機器であって、所定の図形の満腹度曲線（１６）は前記画面上に表示され、前記第１の装置（３０）と前記第２の装置（３２）とを使用する人が、事前に設定された時間間隔中に評価した満腹度評価（１４）と前記画面上で比較する、医療機器。
【請求項９】
画面上に表示される所定の図形の摂食曲線（１０、２４）にしたがって食べるように、人に教えるために用いられる、リアルタイムな図形の摂食曲線（１２）を測定するように適合された、少なくとも２つの装置で構成される医療機器の作動方法であって、
前記医療機器は、画面を備える第１の装置（３０）と、前記第１の装置（３０）に内蔵されるメモリと、前記メモリ内の自動的に計算する手段と、第２の装置（３２）と、前記第２の装置（３２）が有するはかりと、を有し、
前記メモリが、前記所定の図形の摂食曲線（１０、２４）を記憶する工程であって、前記第１の装置（３０）が、関連する前記第２の装置（３２）と通信するための遠隔近接場放射通信および有線通信のうち少なくとも１つの通信機能を有する工程と、
前記第２の装置（３２）が、前記第１の装置（３０）と通信するように前記第２の装置（３２）を適合する工程であって、前記第１の装置（３０）と適合された遠隔近接場放射通信および有線通信のうち少なくとも１つの通信機能を発現する工程、および相当の期間の測定セッションにおいて、前記はかり上の食物を計量する工程であって、人が食物を摂取することによって、前記はかりから前記食物が除去されるときに、前記通信機能を通じて前記食物の重量を前記第１の装置（３０）に伝送し、セッション中に除去される前記食物の量を前記メモリに記憶する工程と、
前記第１の装置（３０）に内蔵されるソフトウェア手段が、食物が前記はかりから除去されるときに、除去される前記食物の重量を前記画面に測定点として表示して、前記所定の図形の摂食曲線（１０、２４）と比較するためのリアルタイムな図形の摂食曲線（１２）を作成する工程と、
前記メモリ内の自動的に計算する手段が、導入曲線とその後の訓練曲線を通じて、制御された食事の累積摂食量から得たデータに基づいて、前記所定の図形の摂食曲線（１０、２４）の方程式を自動的に計算する工程であって、前記累積摂食量が二次方程式ｙ＝ａｘ２＋ｂｘ＋ｃを満たし、ここで、パラメータｙは摂食量を表し、パラメータｘは食事開始時からの経過時間を表し、ａは摂食時間中の前記所定の図形の摂食曲線の傾きの変化を表し、ｂは摂食時間中の前記所定の図形の摂食曲線の一定の傾き、つまり前記食事開始時の摂食速度を表し、ｃは前記食事開始時の摂食量を表し、前記導入曲線は、制御された食事で得た前記累積摂食量と同様の特性を有する工程と、から成ることを特徴とする医療機器の作動方法。
【請求項１０】
請求項９に記載の医療機器の作動方法であって、各訓練曲線の前記方程式はａが＜−１であることを特徴とする減少摂食様式、または前記方程式のａが０≧ａ＞−１であることを特徴とする一次方程式に基づき、これにより、通常の前記食事開始時の摂食速度は４８グラム／分となり、通常の摂食量は３２０グラムから３６０グラムであり、通常の食事時間は１２分から１５分であり、したがって前記摂食速度の疑似コードは、
ｙ＝ａｘ２＋ｂｘ＋ｃ
摂食量＝ｙ＞７２０の場合は６００、それ以外の場合はｙ−７０
前記食事開始時の摂食速度＝ｂ−（１／４（ｂ−４８））
減少速度または線形速度＝（ｙ−ｂｘ）／ｘ２
から構成される、医療機器の作動方法。
【請求項１１】
請求項９に記載の医療機器の作動方法であって、前記第２の装置（３２）および前記第１の装置（３０）が１つの装置に一体化される、医療機器の作動方法。
【請求項１２】
請求項９に記載の医療機器の作動方法であって、前記はかりのはかり測定表面は食物を載せるためのボウルまたは皿として形成される、医療機器の作動方法。
【請求項１３】
請求項９に記載の医療機器の作動方法であって、前記はかりはポケットに携帯できるほど小型である、医療機器の作動方法。
【請求項１４】
請求項９に記載の医療機器の作動方法であって、前記所定の図形の摂食曲線（２４）は、科学的研究によって、人間に好ましい摂食行動に似ていることが分かっている非線形摂食行動を表す、医療機器の作動方法。
【請求項１５】
請求項９に記載の医療機器の作動方法であって、前記所定の図形の摂食曲線（１０）は摂食行動の線形速度を表す、医療機器の作動方法。
【請求項１６】
請求項９に記載の医療機器の作動方法であって、所定の図形の満腹度曲線（１６）は前記画面上に表示され、前記第１の装置（３０）と前記第２の装置（３２）とを使用する人が、事前に設定された時間間隔中に評価した満腹度評価（１４）と前記画面上で比較する、医療機器の作動方法。
【発明の詳細な説明】
【技術分野】
【０００１】
本発明は、画面上に表示される所定の図形の摂食曲線にしたがって食べるように、人に教えるために用いられる、摂食速度を測定するように適合された少なくとも２つの装置で構成される医療機器およびその方法に関する。
【背景技術】
【０００２】
「マンドメータ（Ｍａｎｄｏｍｅｔｅｒ）（登録商標）」と呼ばれる機器がスウェーデン、ストックホルムのカロリンスカ研究所の応用神経内分泌学部門およびマンドメータ（登録商標）クリニックで開発された。マンドメータ（登録商標）はコンピュータに接続するはかりからなる。はかりの上に皿を配置し、患者は療法士が決定する測定した食事量を皿の上に載せ、コンピュータは患者が食べている間に皿から減る重量を記録し保存する。
【０００３】
この機器によって、摂食速度の曲線が産出され、患者は食事中にコンピュータ画面上で、この摂食速度の曲線を見ることができ、画面上に表示される事前に設定された摂食曲線と比較することができる。定期的な間隔でコンピュータモニタ上に評価尺度が表示され、患者は自分の満足度／満腹度を評価する。尺度は０（満腹度なし）から１００（最大満腹度）までの数値を有する。患者が自分の満腹度を評価すると、点が画面上に現れ、満腹度（満足度）の発展曲線が描かれる。このように患者は自分の満足度の展開を、画面上に表示される、これも事前に設定された「通常の」満足度の曲線と比較することができる。「マンドメータ（登録商標）訓練」において、食事中にモニタに表示される訓練曲線にしたがうことによって、患者は通常に近い食事様式および満腹度を徐々に身につける。これらの方法は、本来は拒食症および神経性過食症などの摂食障害を治療するために開発された。これらの方法は、ランダム化比較試験では、７５％の推定寛解率を示すと評価されている。何年も前から、多くの肥満者は高速の一定速度で食べることが示唆されていたが、マンドメータ（登録商標）を用いた肥満の若者に対する予備的研究において、この洞察が確認された。
【０００４】
マンドメータ（登録商標）の機器は数カ国で特許を取得しており、例えば米国ではベルグらに対して特許（特許文献１）が付与されている。
【先行技術文献】
【特許文献】
【０００５】
【特許文献１】米国特許第５，８１７，００６号
【非特許文献】
【０００６】
【非特許文献１】「減少および線形摂食者：摂食量および満腹度に対する摂食速度の影響」、エルゼビア社刊、フィジオロジー・アンド・ビヘイビア（“Ｄｅｃｅｌｅｒａｔｅｄ  ａｎｄ  ｌｉｎｅａｒ  ｅａｔｅｒｓ：  Ｅｆｆｅｃｔ  ｏｆ  ｅａｔｉｎｇ  ｒａｔｅ  ｏｎ  ｆｏｏｄ  ｉｎｔａｋｅ  ａｎｄ  ｓａｔｉｅｔｙ”  ｐｕｂｌｉｓｈｅｄ  ｂｙ  Ｅｌｓｅｖｉｅｒ，  Ｐｈｙｓｉｏｌｏｇｙ  ＆  Ｂｅｈａｖｉｏｒ）、２００８年３月１８日受理、２００８年１０月２日改訂版を受理、２００８年１０月９日掲載決定。
【非特許文献２】「線形摂食者から減少摂食者へ：摂食障害のリスクを減少？」、エルゼビア社刊、フィジオロジー・アンド・ビヘイビア（“Ｌｉｎｅａｒ  ｅａｔｅｒｓ  ｔｕｒｎｅｄ  ｄｅｃｅｌｅｒａｔｅｄ：  Ｒｅｄｕｃｔｉｏｎ  ｏｆ  ａ  ｒｉｓｋ  ｆｏｒ  ｄｉｓｏｒｄｅｒｅｄ  ｅａｔｉｎｇ？”  ｐｕｂｌｉｓｈｅｄ  ｂｙ  Ｅｌｓｅｖｉｅｒ，  Ｐｈｙｓｉｏｌｏｇｙ  ＆  Ｂｅｈａｖｉｏｒ）、２００８年７月４日受理、２００８年１１月１４日改訂、２００８年１１月２５日掲載決定。
【発明の概要】
【発明が解決しようとする課題】
【０００７】
本発明は１つの目的として、制御された科学的環境下で、食事摂取後に満足を感じながら、体重を増量または減量するように支援するために、通常の摂食速度で食べることを人に教えるために用いられる、摂食速度を測定する医療機器を提供する。最近の科学的研究では、正しい方法で食べることによって、摂食速度が減少し、人が食べ過ぎることを防ぎ、それにより肥満者が減量するという臨床的意味を持つことが分かっている。
【課題を解決するための手段】
【０００８】
したがって、本発明は、画面上に表示される所定の図形の摂食曲線にしたがって食べるように、人に教えるために用いられる、摂食速度を測定するように適合された少なくとも２つの装置で構成される医療機器を示す。これにより、本発明は、
所定の図形の摂食曲線をメモリに記憶する、画面を備える装置であって、第１の装置は、関連する第２の装置と通信するための遠隔近接場放射および有線機能のうち少なくとも１つを有する装置と、
第１の装置と通信するように適合された関連する第２の装置のはかりであって、第１の装置に適合された遠隔近接場放射および有線通信機能のうち少なくとも１つを有する第２の装置と、を備え、
相当の期間の測定セッションにおいて、はかり上の食物を計量し、人が食物を摂取することによって、はかりから食物が除去されるときに、通信機能を通じて食物の重量を第１の装置に伝送し、セッション中に除去される食物の量をメモリに記憶する、第１の装置に内蔵されるソフトウェア手段によって、食物がはかりから除去されるときに、除去される食物の重量を画面上に測定点として表示して、所定の摂食曲線と比較するためのリアルタイムな図形の摂食曲線を作成し、
本発明はさらに、
メモリにおいて、導入曲線とその後の訓練曲線を通じて、制御された食事の累積摂食量から得たデータに基づいて、所定の摂食曲線の方程式を自動的に計算する手段であって、累積摂食量が二次方程式ｙ＝ａｘ２＋ｂｘ＋ｃを満たし、ここで、パラメータｙは摂食量を表し、ａは時間経過による曲線の傾きの変化を表し、ｂは時間経過による曲線の一定の傾き、つまり最初の摂食速度を表し、ｃは食事開始時の摂食量を表し、導入曲線は制御された食事で得た累積摂食量と同様の特性を有する手段を備える。
【０００９】
本発明の好ましい一実施形態では、各訓練曲線の方程式は、ａが＜−１であることを特徴とする減少摂食様式、または方程式のａが０≧ａ＞−１であることを特徴とする一次方程式に基づき、これにより、通常の初期摂食速度は４８グラム／分となり、通常の摂食量は３２０グラムから３６０グラムであり、通常の食事時間は１２分から１５分であり、したがって、摂食速度の疑似コードは、
ｙ＝ａｘ２＋ｂｘ＋ｃ
食事摂取量＝ｙ＞７２０のとき６００、それ以外の場合はｙ−７０
最初の摂食速度＝ｂ−（１／４（ｂ−４８））
減少速度または線形速度＝（ｙ−ｂｘ）／ｘ２
から構成される。
【００１０】
別の実施形態では、はかりおよび第１の装置は１つの装置に一体化されることを含む。
【００１１】
別の実施形態では、はかりの測定表面は、その上に食物を載せるためのボウルまたは皿として形成されることを含む。
【００１２】
さらに別の実施形態では、はかりはポケットに携帯できるほど小型の大きさで提供される。
【００１３】
別の一実施形態では、所定の図形曲線は非線形の摂食行動を表すことを提供し、この摂食行動は科学的研究によって、人間に好ましい摂食行動と似ていることが分かっている。
【００１４】
さらに別の実施形態では、所定の図形曲線は摂食行動の線形速度を示すことを含む。
【００１５】
さらに別の実施形態では、所定の満腹度の図形曲線は画面上に表示され、装置を使用する人が、事前に設定された時間間隔中に、評価した満腹度評価と画面上で比較することを提供する。
【００１６】
さらに、本発明は、画面に表示される所定の図形の摂食曲線にしたがって食べるように、人に教えるために用いられる、摂食速度を測定するように適合された少なくとも２つの装置で構成される医療機器に適合された方法を示す。したがって、本発明の方法は、
画面を備える装置のメモリに所定の図形の摂食曲線を記憶するステップであって、第１の装置は、関連する第２の装置と通信するための遠隔近接場放射および有線機能のうち少なくとも１つを有するステップと、
関連する第２の装置を通じて第１の装置と通信するようにはかりを適合するステップであって、第１の装置に適合された遠隔近接場放射および有線通信機能のうち少なくとも１つを有するステップと、
相当の期間の測定セッションにおいて、はかり上の食物を計量するステップであって、人が食物を摂取することによって、はかりから食物が除去されるときに、通信機能を通じて食物の重量を第１の装置に伝送し、セッション中に除去される食物の量をメモリに記憶する、第１の装置に内蔵されるソフトウェア手段によって、食物がはかりから除去されるときに、除去される食物の重量を画面上に測定点として表示して、所定の摂食曲線と比較するためのリアルタイムな図形の摂食曲線を作成するステップと
を含み、
さらに、メモリにおける手段によって、導入曲線とその後の訓練曲線を通じて、制御された食事の累積摂食量から得たデータに基づいて、所定の摂食曲線の方程式を自動的に計算するステップであって、累積摂食量が二次方程式ｙ＝ａｘ２＋ｂｘ＋ｃを満たし、ここで、パラメータｙは摂食量を表し、ａは時間経過による曲線の傾きの変化を表し、ｂは時間経過による曲線の一定の傾き、つまり最初の摂食速度を表し、ｃは食事開始時の摂食量を表し、導入曲線は、制御された食事で得た摂食量と同様の特性を有するステップと、を備える。
【００１７】
本発明の方法は前述の機器に関する添付の従属請求項にも従う。
【図面の簡単な説明】
【００１８】
本発明と本発明の実施形態および実施例をよりよく理解するために、以下に説明文を加えて添付図面を説明する。
【００１９】
【図１】線形摂食行動の図形を表す。
【図２】減少摂食行動の図形を表す。
【図３】本発明にしたがい、近接場放射通信を通じてはかりと通信する、携帯電話の無線機能を備える機器の実施形態を概略的に表す。
【発明を実施するための形態】
【００２０】
本発明は、携帯電話、ＰＤＡ、コンピュータ、ＰＣ、ラップトップ、ｉＰｈｏｎｅ（登録商標）、アンドロイド、および同様の装置などの第１の装置からなる医療用測定機器に関する。第２の装置は、はかりの形を取り、はかりの上に配置された皿またはボウルなどから、食事中に人が食べるすべての摂食量を測定する。本機器は神経性無食欲症、神経性過食症、肥満、その他の胃腸障害を患う人および、健康を保つために自分の摂取量を制御したいと願う人に教えるために用いられる。
【００２１】
青少年の肥満に関する研究が英国のブリストル王立小児病院において、スウェーデン、ストックホルムのカロリンスカ研究所の応用神経内分泌学部門およびマンドメータ（登録商標）クリニックが開発した「マンドメータ（登録商標）」（先行技術）を用いて行われた。マンドメータ（登録商標）はコンピュータに接続するはかりからなる。はかりの上に皿を配置し、患者は療法士が決定する測定した食事量を皿の上に載せ、コンピュータは患者が食べている間に皿から減る重量を記録し、保存する。
【００２２】
これにより、摂食速度の曲線が産出され、患者は食事中に、コンピュータ画面上でこの摂食速度の曲線を見ることができ、画面上に表示される事前に設定された摂食曲線と比較することができる。定期的な間隔でコンピュータモニタ上に評価尺度が表示され、患者は自分の満足度を評価する。例えば、尺度は０（満腹度なし）から１００（最大満腹度）までの数値を有する。患者が自分の満腹度を評価すると、点が画面上に現れ、満腹度（満足度）の発展曲線が描かれる。このように患者は自分の満足度の展開を、画面上に表示される、これも事前に設定された「通常の」満足度の曲線と比較することができる。「マンドメータ（登録商標）訓練」において、食事中にモニタに表示される訓練曲線にしたがうことによって、患者は通常に近い食事様式および満腹度を徐々に身につける。これらの方法は、本来は拒食症および経性過食症などの摂食障害を治療するために開発された。
【００２３】
同研究はさらに向上した結果の可能性に到達した。つまり、摂食を練習するためのマンドメータ（登録商標）曲線の様式は、人の過食を防ぐこともあるため、減少形を有することができるということである。同研究が用いる平均的な摂食速度の分析では、食事中の分単位での変化は無視しており、これが摂食速度の簡単な測定に対して統計的に有意な影響が現れない原因であるかもしれない。
【００２４】
減少摂食の発見は、さらに詳しい科学的試験および分析を受けているところであり、モジタバ・ザンディアンａ、ロアニス・ロアキミディスａ、セシリア・ベルグａ、ウルフ・ブローディンａ、ｂ、ペール・ソデルスタンａによって、科学論文（非特許文献１）で発表されている。著者名の後のａ、ｂは以下の所属を表す。
ａ）カロリンスカ研究所、応用神経内分泌学部門、ＮＶＳ、および、マンドメータ（登録商標）およびマンドリーンクリニック、ＡＢ  Ｍａｎｄｏ、Ｎｏｖｕｍ、スウェーデン、フディンゲ、Ｓ１４１−５７。
ｂ）カロリンスカ研究所、ＬＩＭＥ、医療統計部門、スウェーデン、ストックホルム、Ｓ１７１−７７。
【００２５】
別の論文（非特許文献２）も、モジタバ・ザンディアン、ロアニス・ロアキミディス、セシリア・ベルグ、ペール・ソデルスタンによって発表されている。
【００２６】
以下、減少摂食速度のために用いる機器の実施形態に関して、多くの使用可能な機器の中から、科学的発見を一実施例として記載する。本発明で用いる方程式は図１で記載するような非減少形摂食行動／線形摂食行動にも当てはめることができると理解されよう。
【００２７】
図１では、線形摂食の図を表す。この図はマンドメータ（登録商標）測定装置または本発明の機器を用いて、摂食速度および満腹度を測定するための以前の標準であった。ここで、所定の線形摂食速度曲線１０は、マンドメータ（登録商標）測定装置を用いる人から記録した実際のリアルタイムな摂食曲線１２と共に描かれる。曲線１２は許容標準摂食速度を達成するために、できるだけ線形曲線１０と一致すべきであり、それにより、人の身体的状況によって、体重を増量または減量するように人が食べることを支援することができる。
【００２８】
点１４は所定の期間／間隔において、摂食する人が満腹度を評価した点を示し、点をつなげて線にすると、それ自体が摂食する人の満腹度／満足度を示す曲線となる。さらに、図１は、摂食する人が評価する満腹度評価１４と比較するための、通常の満腹度評価に似ている所定のＳ字型曲線１６を示す。底部１８には、タッチ式ボタンがあり、本発明による実施形態にしたがい、携帯電話機能を備える装置に保存された様々な食事を閲覧するために使用される。また図１には情報ボタン２０を示す。例えば、情報ボタン２０を押すと、セッション中に食べた食物量およびセッション時間が表示される。携帯電話装置の電池を充電するためのアイコン２２も示す。
【００２９】
図２は図１と同様の曲線および機能を表示するが、曲線２４が、人の摂食速度にさらに似ている、最近の科学的研究の結果による減少摂食速度を示すことが異なる。
【００３０】
図３は本発明による多くの使用可能な機器の中から、従来のキーパッドまたはタッチ画面などを有する既知の構成の表示画面を持つ、携帯電話３０を備える一実施形態を概略的に示す。本機器はさらに、好ましくは小型のポケットサイズのはかり３２を備える。本機器はまた、人が摂食するときに食物を載せるために用いる皿またはボウル３４も示す。携帯電話装置３０およびはかり３２はお互いにブルートゥースまたは赤外線（ＩＲ）などの近接場放射を通じて通信し、両矢印で概略的に表す。
【００３１】
はかりと携帯電話装置３０間の通信によって、摂食する人が摂食間隔中に皿３４から除去する食物量および摂食速度のデータを伝送する。人はまた満腹度１４を所定の時間間隔内に携帯電話装置画面で評価する。このように、図１および図２による、摂食速度曲線１２および満腹度曲線１４は、皿３４から摂食する人が自分の摂食速度を所定の摂食速度曲線１０、２４にあわせ、および／または満足度を示す曲線１６に自分の満腹度をあわせるように表示される。
【００３２】
さらに、ソフトウェア手段を用いて、保存したセッションを第１の装置３０の携帯電話機能を通じてコンピュータ端末４２に接続する遠隔サーバ４０に伝送し、摂食速度曲線１２を記録する。サーバ４０の手段は第１の装置３０に対して、所定の図形の摂食曲線１０、２４のどちらを任意の図形位置から使用するかに関して適合指示を送信することができ、リアルタイムな図形の摂食曲線の以前の記録によって、本発明のシステムの機器を用いて、記録した人の摂食行動に適合させる。
【００３３】
携帯電話３０および端末３２を備えるサーバ４０は、例えば基地局制御装置（ＢＳＣ）４６を介して基地局トランシーバ（ＢＳＴ）４４、および移動通信交通局４８によって既知の技術を通じて通信する。４０、４２、４４、４６、４８およびはかり３２を備える携帯電話３０間の通信は図３に、両矢印で記載する。
【００３４】
本発明による機器を用いる人は、最悪の事例では直ちに医療行為が必要なこともあり、したがって、一実施形態では本機器を用いる人の位置が、例えば携帯電話３０に搭載された全地球測位システム（ＧＰＳ）を介して追跡できるように提供される。人を追跡するための別の可能性は、呼び出し信号に無線携帯電話位置データを含む、電話３０の信号システムを用いることで実現可能である。無線携帯電話位置データは、電話３０のリアルタイムな地理的位置をピンポイントで特定し、ほとんどの事例では、電話３０のユーザの場所を特定する。
【００３５】
したがって、図３は、画面上に表示される所定の摂食速度の図形曲線１０、２４にしたがって食べるように、人に教えるために用いられる、摂食速度１２を測定するように適合された少なくとも２つの装置で構成される、本発明の医療機器３０、３２の利用可能な一実施形態を表す。これにより、一実施形態は、所定の図形の摂食曲線１０、２４をメモリに記憶する、画面を備える装置３０を備える。第１の装置３０は、関連する第２の装置３２と通信するための遠隔近接場放射および有線機能のうち少なくとも１つを有する。有線接続、例えば、ＵＳＢ、ＶＧＡまたはその他の既知の接続を、例えば、第１の装置がラップトップまたはその他の既知のコンピュータである場合に用いることができる。
【００３６】
関連する第２の装置３２のはかりは第１の装置３０と通信するように適合され、第１の装置３０に適合された遠隔近接場放射および有線通信機能のうち少なくとも１つを有する。相当の期間の測定セッションにおいて、はかり３２上の食物を計量し、食物を摂取する人によって食物がはかりから除去されるときに、食物の重量は通信機能を通じて第１の装置３０に伝送される。これは、第１の装置３０に内蔵されるソフトウェア手段を通じて、セッション中に除去される食物量をメモリに記憶し、食物がはかりから除去されるときに、除去される食物の重量を画面上に測定点として表示して、所定の摂食曲線１０、２４と比較するためのリアルタイムな図形の摂食曲線１２を作成することによって達成される。
【００３７】
さらに、本発明は、例えば、導入曲線とその後の訓練曲線を通じて、制御された食事の累積摂食量から得たデータに基づいて、所定の摂食曲線１０、２４の方程式を自動的に計算するソフトウェア手段をメモリに備える。累積摂食量は二次方程式ｙ＝ａｘ２＋ｂｘ＋ｃを満たし、ここで、パラメータｙは摂食量を表し、ａはパラメータｘによって表される時間経過による曲線の傾きの変化を表し、ｂは時間経過による曲線の一定の傾き、つまり最初の摂食速度を表し、ｃは食事開始時の摂食量を表し、導入曲線は制御された食事で得た累積摂食量と同様の特性を有する。
【００３８】
本発明の好ましい一実施形態では、各訓練曲線の方程式は、ａが＜−１であることを特徴とする減少摂食様式、または方程式のａが０≧ａ＞−１であることを特徴とする一次方程式に基づき、これにより、通常の初期摂食速度は４８グラム／分となり、通常の摂食量は３２０グラムから３６０グラムであり、通常の食事時間は１２分から１５分であり、したがって、摂食速度の疑似コードは、
ｙ＝ａｘ２＋ｂｘ＋ｃ
食事摂取量＝ｙ＞７２０のとき６００、それ以外の場合はｙ−７０
最初の摂食速度＝ｂ−（１／４（ｂ−４８））
ａの速度によって異なる減少速度または線形速度＝（ｙ−ｂｘ）／ｘ２
から構成される。
【００３９】
別の実施形態では、はかりおよび第１の装置は１つの装置に一体化されることを含む。別の実施形態では、はかりの測定表面は、その上に食物を載せるためのボウルまたは皿として形成されることを含む。
【００４０】
さらに別の実施形態では、はかりはポケットに携帯できるほど小型の大きさで提供される。一実施形態では、所定の図形曲線は非線形の摂食行動を表すことを提供し、この摂食行動は科学的研究によって、人間に好ましい摂食行動と似ていることが分かっている。
【００４１】
さらに別の実施形態では、所定の図形曲線は摂食行動の線形速度を示すことを含む。さらに別の実施形態では、所定の満腹度の図形曲線は画面上に表示され、装置を使用する人が、事前に設定された時間間隔中に評価した満足度評価と、画面上で比較することを提供する。
【００４２】
さらに、本発明は、画面上に表示される所定の図形の摂食曲線にしたがって食べるように、人に教えるために用いられる、摂食速度を測定するように適合された少なくとも２つの装置で構成される医療機器に適合された方法を含む。したがって、本発明の方法は、画面を備える装置のメモリに所定の図形の摂食曲線を記憶するステップを備える。第１の装置は、関連する第２の装置と通信するための遠隔近接場放射および有線機能のうち少なくとも１つを有する。はかりは関連する第２の装置を通じて第１の装置と通信するように適合され、第１の装置に適合された遠隔近接場放射および有線通信機能のうち少なくとも１つを有する。相当の期間の測定セッションにおいて、はかり上の食物を計量し、人が食物を摂取することによって、はかりから食物が除去されるときに、通信機能を通じて食物の重量を第１の装置に伝送する。これは、セッション中に除去される食物の量をメモリに記憶する、第１の装置に内蔵されるソフトウェア手段によって、食物がはかりから除去されるときに、除去される食物の重量を画面上に測定点として表示して、所定の摂食曲線と比較するためのリアルタイムな図形の摂食曲線を作成することによって、実現される。
【００４３】
さらに、本発明の方法は、メモリ内の手段によって、導入曲線とその後の訓練曲線を通じて、制御された食事において累積摂食量から得たデータに基づいて、所定の摂食曲線の方程式を自動的に計算するステップを備える。累積摂食量は二次方程式ｙ＝ａｘ２＋ｂｘ＋ｃを満たし、ここで、パラメータｙは摂食量を表し、ａは時間経過ｘによる曲線の傾きの変化を表し、ｂは時間経過による曲線の一定した傾き、つまり最初の摂食速度を表し、ｃは食事開始時の摂食量を表し、導入曲線は、制御された食事で得た累積摂食量と同様の特性を有する。
【００４４】
本発明は本明細書に記載する実施例および実施形態に限定されない。当業者は添付の請求項一式からさらに可能な実施形態を導き出すことができる。
【符号の説明】
【００４５】
１０：摂食曲線
１２：摂食曲線
１４：満腹度
１６：Ｓ字型曲線
１８：底部
２０：情報ボタン
２２：アイコン
３０：携帯電話
３２：装置
３４：皿
４０：サーバ
４２：コンピュータ端末
４４：基地局トランシーバ
４６：基地局制御装置
４８：移動通信交通局
【図１】
0005630504.tif 000002
【図２】
0005630504.tif 000003
【図３】
0005630504.tif 000004